(57)【要約】      （修正有）【課題】携帯電話事業者に申請しなくともシステムの構築が可能で，子供が所有する携帯端末にインストールされているアプリケーションから適宜選択して各アプリケーションを機能制限可能な端末管理システムを提供する。【解決手段】端末管理システム１は、機能制限アプリケーションＡがインストールされた親端末２と，管理サーバ３が生成するＸＭＬデータに従って動作処理を実現するＸＭＬ形式のテキストが記載されている設定ファイルＢがインストールされている子端末５と，親端末のアカウント情報及びデバイス情報と，子端末のアカウント情報，デバイス情報及び子端末にインストールされているアプリケーション情報とを関連付けた情報テーブルＤを保存する記憶部を有する管理サーバ３と，管理サーバからのプッシュ通知要求を受けて，子端末に対してプッシュ通知するためのプッシュサーバ４を備える。【選択図】図１
2019216395.tif 000002
【特許請求の範囲】
【請求項１】
保護者が所持する親端末と，
被保護者が所持する子端末と，
前記親端末のアカウント情報及びデバイス情報，並びに，前記子端末のアカウント情報，デバイス情報及び子端末にインストールされているアプリケーション情報を関連付けた情報テーブルを保存する記憶部を有する管理サーバと，
前記管理サーバからのプッシュ通知要求を受けて，前記プッシュ通知要求と共に受信したデバイス情報に該当する前記子端末に対してプッシュ通知するためのプッシュサーバとを備える端末管理システムであって，
前記親端末，前記子端末，前記管理サーバ及び前記プッシュサーバは，インターネットに接続されており，
前記親端末には，前記管理サーバに信号を送信し前記管理サーバと協働して，前記信号に含まれる前記親端末の前記アカウント情報又は前記デバイス情報より，前記親端末に対応する前記情報テーブルを前記管理サーバの記憶部から抽出し，前記情報テーブルから前記子端末にインストールされているアプリケーション情報を読み出してアプリケーション一覧を前記親端末の前記表示部に表示し，さらに，前記保護者により前記アプリケーション一覧から選択されたアプリケーションを機能制限する制限要求を前記管理サーバに送信するよう前記親端末を動作させる機能制限アプリケーションが前記親端末にインストールされ，
前記管理サーバは，前記親端末から受信した前記制限要求に応じて，前記選択されたアプリケーションを機能制限する制限用ＸＭＬデータを生成し，かつ，前記制限用ＸＭＬデータのプッシュ通知要求を，前記情報テーブルから読み出した前記子端末のデバイス情報と共に前記プッシュサーバに送信する制御部を有し，
前記子端末には，前記プッシュサーバからのプッシュ通知を受信すると，受信した前記制限用ＸＭＬデータＣに基づいてアプリケーションを機能制限するＸＭＬ形式のテキストが記載された設定ファイルＢがインストールされていることを特徴とする端末管理システム。
【請求項２】
前記設定ファイルに，前記子端末のホーム画面から，機能制限するアプリケーションのアイコン表示を消す動作処理を実行するためのＸＭＬ形式のテキストが記載されていることを特徴とする請求項１記載の端末管理システム。
【請求項３】
前記機能制限アプリケーションが，機能制限したアプリケーションのうち前記保護者により選択されたアプリケーションの機能制限を解除する解除要求を，管理サーバに送信するよう前記親端末を動作させ，
前記管理サーバの前記制御部が，前記親端末から受信した前記解除要求に応じて前記選択されたアプリケーションの機能制限を解除する解除用ＸＭＬデータを生成し，かつ，前記解除用ＸＭＬデータのプッシュ通知要求を，前記子端末のデバイス情報と共に前記プッシュサーバに送信する機能を有し，
前記設定ファイルには，前記プッシュサーバから受信した前記解除用ＸＭＬデータに基づいてアプリケーションの機能制限を解除するＸＭＬ形式のテキストが記載されていることを特徴とする請求項１又は２記載の端末管理システム。
【請求項４】
前記設定ファイルに，機能制限を解除するアプリケーションのアイコンを前記子端末のホーム画面に表示させる動作処理を実行するためのＸＭＬ形式のテキストが記載されていることを特徴とする請求項３記載の端末管理システム。
【請求項５】
前記機能制限アプリケーションが，前記管理サーバに送信する前記制限要求に，前記保護者により選択された機能制限する曜日の情報を含み，
前記管理サーバの前記制御部が，受信した前記機能制限する曜日の情報を前記親端末に対応する前記情報テーブルに関連付けて前記記憶部に保存する機能を有し，
前記管理サーバは，前記制御部と協働して現在の曜日を認識する機能を有するタイマ部を有し，
前記管理サーバの前記制御部が，前記記憶部と前記タイマ部と協働して前記機能制限する曜日に，前記制限用ＸＭＬデータを生成して前記制限用ＸＭＬデータの前記プッシュ通知要求を前記子端末５のデバイス情報と共に前記プッシュサーバに送信する機能を有することを特徴とする請求項１〜４いずれか１項記載の端末管理システム。
【請求項６】
前記管理サーバの制御部が，前記機能制限する曜日以外の曜日に，前記選択されたアプリケーションの機能制限を解除するための解除用ＸＭＬデータを生成して，該解除用ＸＭＬデータの前記プッシュ通知要求を前記子端末のデバイス情報と共に前記プッシュサーバに送信する機能を有し，
前記設定ファイルには，前記プッシュサーバから受信した前記解除用ＸＭＬデータに基づいてアプリケーションの機能制限を解除するＸＭＬ形式のテキストが記載されていることを特徴とする請求項５記載の端末管理システム。
【請求項７】
前記管理サーバの制御部が，前記機能制限する曜日内において，前記制限用ＸＭＬデータを毎分作成し，前記制限用ＸＭＬデータの前記プッシュ通知要求を前記子端末のデバイス情報と共に前記プッシュサーバに毎分送信する機能を有することを特徴とする請求項５又は６記載の端末管理システム。
【請求項８】
前記機能制限アプリケーションが，前記管理サーバに送信する前記制限要求に，前記保護者により選択された機能制限する時間の情報を含み，
前記管理サーバの前記制御部が，受信した前記機能制限する時間の情報を前記親端末に対応する前記情報テーブルに関連付けて前記記憶部に保存する機能を有し，
前記管理サーバは，前記制御部と協働して現在の時間を認識する機能を有するタイマ部を有し，
前記管理サーバの前記制御部が，前記記憶部と前記タイマ部と協働して前記機能制限する時間に，前記制限用ＸＭＬデータを生成して，前記制限用ＸＭＬデータの前記プッシュ通知要求を前記子端末のデバイス情報と共に前記プッシュサーバに送信する機能を有することを特徴とする請求項１〜７いずれか１項記載の端末管理システム。
【請求項９】
前記管理サーバの制御部が，前記機能制限する時間外に，前記選択されたアプリケーションの機能制限を解除するための解除用ＸＭＬデータを生成して，該解除用ＸＭＬデータの前記プッシュ通知要求を，前記子端末のデバイス情報と共に前記プッシュサーバに送信する機能を有し，
前記設定ファイルには，前記プッシュサーバから受信した前記解除用ＸＭＬデータに基づいてアプリケーションの機能制限を解除するＸＭＬ形式のテキストが記載されていることを特徴とする請求項８記載の端末管理システム。
【請求項１０】
前記管理サーバの前記制御部が，前記機能制限する時間内において，前記選択されたアプリケーションを機能制限する前記制限用ＸＭＬデータを毎分作成し，前記ＸＭＬデータの前記プッシュ通知要求を前記子端末のデバイス情報と共に前記プッシュサーバに毎分送信する機能を有することを特徴とする請求項８又は９記載の端末管理システム。
【請求項１１】
前記設定ファイルに，前記子端末にインストールされているアプリケーションの最新の情報を，前記管理サーバと連携して，前記記憶部内の前記子端末に対応する情報テーブルに関連付けて保存する動作処理を実行するためのＸＭＬ形式のテキストが記載されていることを特徴とする請求項１〜１０いずれか１項記載の端末管理システム。
【発明の詳細な説明】
【技術分野】
【０００１】
本発明は，端末管理システムについて，特に，子供が所有する携帯端末の管理システムに関する。
【背景技術】
【０００２】
近年，携帯端末を所有する子供の数が増えている。
【０００３】
子供(１８才未満あるいは，児童，幼児等を含む心身未発達の者；以下，「子供」という)が所有又は使用する携帯端末として，特に，スマートフォンが普及しており，該スマートフォンは，緊急時の連絡等に優れる一方，例えば，ゲームアプリや，チャットアプリ等をインストールすることで，子供を夢中にさせる機能が増えていき，子供がゲームやチャットに長時間興じる問題が生じていた。
【０００４】
上述した問題の対策として，例えば，子供が携帯電話端末を利用する必要のない時間帯に，必要のない機能のみ利用不能にすることが可能な端末管理システムが発明されている（特許文献１）。
【先行技術文献】
【特許文献】
【０００５】
【特許文献１】特開２０１０−２２６６０１号公報
【発明の概要】
【発明が解決しようとする課題】
【０００６】
特許文献１に記載の端末管理システムは，構成要素として，子供に持たせる携帯端末の他に，携帯電話事業者が運営する事業者ネットワークと該事業者ネットワーク内にある顧客の個別情報を保存管理するメモリを備えるものである。
【０００７】
そして，前記端末管理システムは，まず，契約者（保護者）が，「携帯電話事業者窓口で携帯電話端末の契約を行う際に子供に持たせる携帯電話端末の各機能に対する利用制限の設定申請を行う」（特許文献１，発明の詳細な説明[００３７]欄）必要があり，前記利用制限の設定をユーザ情報として前記メモリに保存しておき，購入後初めて子供に持たせる携帯電話端末の電源が投入され，前記事業者ネットワークと通信を行うための情報のやり取りを行う際に前記メモリに保存している利用制限の設定を前記携帯電話端末側に送信し，前記携帯電話端末が受信した信号を信号処理して利用制限設定を完了させるものである。
【０００８】
つまり，特許文献１に記載の端末管理システムを構築するために，携帯電話事業者窓口で利用制限の申請の手続きをする煩わしさがあった。
【０００９】
また，子供の携帯電話端末の契約時に上述した利用制限の設定申請を忘れると，前記端末管理システムは機能しない問題があった。
【００１０】
そこで，携帯電話事業者に申請しなくともシステムの構築を可能とするために，携帯電話事業者が運営する事業者ネットワークをシステムの構成要素として含まなくとも，子供が所有する携帯端末にインストールされているアプリケーションから適宜選択したアプリケーションを機能制限（利用不能に）することができる端末管理システムを提供する。
【課題を解決するための手段】
【００１１】
本発明は，叙上の課題を解決するために開発されたもので，本発明の端末管理システム１は，
保護者が所持する親端末２と，
被保護者が所持する子端末５と，
前記親端末２のアカウント情報（例えば，所持者の氏名）及びデバイス情報（端末識別情報），並びに，前記子端末５のアカウント情報，デバイス情報及び子端末５にインストールされているアプリケーション情報を関連付けた情報テーブルＤを保存する記憶部３２を有する管理サーバ３と，
前記管理サーバ３からのプッシュ通知要求を受けて，前記プッシュ通知要求と共に受信したデバイス情報に該当する前記子端末５に対してプッシュ通知するためのプッシュサーバ４とを備える端末管理システム１であって，
前記親端末２，前記子端末５，前記管理サーバ３及び前記プッシュサーバ４は，インターネットに接続されており，
前記親端末２には，前記管理サーバ３に信号を送信し前記管理サーバ３と協働して，前記信号に含まれる前記親端末２の前記アカウント情報又は前記デバイス情報より，前記親端末２に対応する前記情報テーブルＤを前記管理サーバ３の記憶部３２から抽出し，前記情報テーブルＤから前記子端末５にインストールされているアプリケーション情報を読み出してアプリケーション一覧を前記親端末２の表示部２４に表示し，さらに，該親端末２に，前記保護者により前記アプリケーション一覧から選択されたアプリケーションを機能制限する制限要求を前記管理サーバ３に送信するよう前記親端末２を動作させる機能制限アプリケーションＡがインストールされ，
前記管理サーバ３は，前記親端末２から受信した前記制限要求に応じて，前記選択されたアプリケーションを機能制限する制限用ＸＭＬデータＣ（ＸＭＬ形式の制御メッセージ）を生成し，かつ，前記制限用ＸＭＬデータＣのプッシュ通知要求を，前記情報テーブルＤから読み出した前記子端末５のデバイス情報と共に前記プッシュサーバ４に送信する制御部３１を有し，
前記子端末５には，前記プッシュサーバ４からのプッシュ通知を受信すると，受信した前記制限用ＸＭＬデータＣに基づいてアプリケーションを機能制限するＸＭＬ形式のテキストが記載された設定ファイルＢがインストールされていることを特徴とする（請求項１）。
【００１２】
なお，前記設定ファイルＢには，子端末５のホーム画面から，機能制限するアプリケーションのアイコン表示を消す動作処理を実行するためのＸＭＬ形式のテキストが記載されていても良い（請求項２）。
【００１３】
また，本発明の前記管理システム１は，前記機能制限アプリケーションＡが，機能制限したアプリケーションのうち前記保護者により選択されたアプリケーションの機能制限を解除する解除要求を，管理サーバ３に送信するよう親端末２を動作させ，
前記管理サーバ３の前記制御部３１が，前記親端末２から受信した前記解除要求に応じて前記選択されたアプリケーションの機能制限を解除する解除用ＸＭＬデータＣ’を生成し，かつ，前記解除用ＸＭＬデータＣ’のプッシュ通知要求を，前記子端末５のデバイス情報と共に前記プッシュサーバ４に送信する機能を有し，
前記設定ファイルＢには，前記プッシュサーバ４から受信した前記解除用ＸＭＬデータＣ’に基づいてアプリケーションの機能制限を解除するＸＭＬ形式のテキストが記載されていても良い（請求項３）。
【００１４】
さらに，前記設定ファイルＢに，機能制限を解除するアプリケーションのアイコンを前記子端末５のホーム画面に表示させる動作処理を実行するためのＸＭＬ形式のテキストが記載されていても良い（請求項４）。
【００１５】
また，本発明の前記端末管理システム１は，前記機能制限アプリケーションＡが，前記管理サーバ３に送信する前記制限要求に，前記保護者により選択された機能制限する曜日の情報を含み，
前記管理サーバ３の前記制御部３１が，受信した前記機能制限する曜日の情報を親端末２に対応する前記情報テーブルＤに関連付けて前記記憶部３２に保存する機能を有し，
前記管理サーバ３は，前記制御部３１と協働して現在の曜日を認識する機能を有するタイマ部３５を有し，
前記管理サーバ３の前記制御部３１が，前記記憶部３２と前記タイマ部３５と協働して前記機能制限する曜日に，前記制限用ＸＭＬデータＣを生成して前記制限用ＸＭＬデータＣの前記プッシュ通知要求を前記子端末５のデバイス情報と共に前記プッシュサーバ４に送信する機能を有してもよい（請求項５）。
【００１６】
また，前記管理サーバ３の制御部３１が，前記機能制限する曜日以外の曜日に，前記選択されたアプリケーションの機能制限を解除するための解除用ＸＭＬデータＣ’を生成して該解除用ＸＭＬデータＣ’の前記プッシュ通知要求を，前記子端末５のデバイス情報と共に前記プッシュサーバ４に送信する機能を有し，
前記設定ファイルＢには，前記プッシュサーバ４から受信した前記解除用ＸＭＬデータＣ’に基づいてアプリケーションの機能制限を解除するＸＭＬ形式のテキストが記載されていても良い（請求項６）。
【００１７】
さらに，前記管理サーバ３の制御部３１が，前記機能制限する曜日内において，前記制限用ＸＭＬデータＣを毎分作成し，前記制限用ＸＭＬデータＣの前記プッシュ通知要求を前記子端末５のデバイス情報と共に前記プッシュサーバ４に毎分送信する機能を有しても良い（請求項７）。
【００１８】
また，前記機能制限アプリケーションＡが，前記管理サーバ３に送信する前記制限要求に，前記保護者により選択された機能制限する時間の情報を含み，
前記管理サーバ３の前記制御部３１が，受信した前記機能制限する時間の情報を親端末２に対応する前記情報テーブルＤに関連付けて前記記憶部３２に保存する機能を有し，
前記管理サーバ３は，前記制御部３１と協働して現在の時間を認識する機能を有するタイマ部３５を有し，
前記管理サーバ３の前記制御部３１が，前記記憶部３２と前記タイマ部３５と協働して前記機能制限する時間に，前記制限用ＸＭＬデータＣを生成して，前記制限用ＸＭＬデータＣの前記プッシュ通知要求を前記子端末５のデバイス情報と共に前記プッシュサーバ４に送信する機能を有しても良い（請求項８）。
【００１９】
また，前記管理サーバ３の制御部３１が，前記機能制限する時間外に，前記選択されたアプリケーションの機能制限を解除するための解除用ＸＭＬデータＣ’を生成して，該解除用ＸＭＬデータＣ’の前記プッシュ通知要求を，前記子端末５のデバイス情報と共に前記プッシュサーバ４に送信する機能を有し，
前記設定ファイルＢには，前記プッシュサーバ４から受信した前記解除ＸＭＬデータＣ’に基づいてアプリケーションの機能制限を解除するＸＭＬ形式のテキストが記載されていても良い（請求項９）。
【００２０】
さらに，前記管理サーバ３の制御部３１が，前記機能制限する時間内において，前記選択されたアプリケーションを機能制限する前記制限用ＸＭＬデータＣを毎分作成し，前記ＸＭＬデータＣの前記プッシュ通知要求を前記子端末５のデバイス情報と共に前記プッシュサーバ４に毎分送信する機能を有しても良い（請求項１０）。
【００２１】
また，本発明の端末管理システムの前記設定ファイルＢには，前記子端末５にインストールされているアプリケーションの最新の情報を，前記管理サーバ３と連携して，前記記憶部３２内の前記子端末５に対応する情報テーブルＤに関連付けて保存する動作処理を実行するためのＸＭＬ形式のテキストが記載されても良い（請求項１１）。
【発明の効果】
【００２２】
本発明の端末管理システム１は，子端末の契約時に携帯電話事業者に申請する必要が無く，子供が所有する子端末５にインストールされたアプリケーションの中から利用を制限したいアプリケーションを選択して該アプリケーションを機能制限する（起動できなくする）ことができる。
【００２３】
また，必要に応じてアプリケーションの機能制限を解除することが可能である。
【００２４】
さらに，保護者は，アプリケーションの機能制限する時間，曜日を自由に選択し設定することができる。
【００２５】
また，アプリケーションを機能制限する前記制限用ＸＭＬデータＣを子端末５に毎分プッシュ通知することで，何らかの手段でアプリケーションの機能制限が解除されても，すぐに機能制限された状態に戻すことができる。
【図面の簡単な説明】
【００２６】
【図１】本発明の第１実施形態の端末管理システム１の全体構成図。
【図２】第１実施形態の親端末２の内部構成図。
【図３】第１実施形態の管理サーバ３の内部構成図。
【図４】第１実施形態のプッシュサーバ４の内部構成図。
【図５】第１実施形態の子端末５の内部構成図。
【図６】第１実施形態の親端末２及び子端末５を管理サーバ３に設定登録する登録動作のフロー図。
【図７】第１実施形態で説明する親端末２の表示部２５に表示されるアカウント作成画面９０１の一例を示す図。
【図８】第１実施形態で説明する親端末２の表示部２５に表示されるアカウント情報入力画面９０２の一例を示す図。
【図９】第１実施形態で説明する親端末２の表示部２５に表示される登録画面９０３の一例を示す図。
【図１０】第１実施形態で説明する親端末２の表示部２５に表示される子供情報の入力画面９０４の一例を示す図。
【図１１】第１実施形態で説明する親端末２の表示部２５に表示される設定ファイルＤＬ用ＵＲＬ表示画面９０５の一例を示す図。
【図１２】第１実施形態で説明する親端末２の表示部２５に表示されるインストール画面９０６の一例を示す図。
【図１３】第１実施形態で説明する親端末２の表示部２５に表示されるパスコード入力画面９０７の一例を示す図。
【図１４】第１実施形態で説明する親端末２の表示部２５に表示される警告画面９０８の一例を示す図。
【図１５】第１実施形態で説明する親端末２の表示部２５に表示されるポップアップ画面９０９の一例を示す図。
【図１６】第１実施形態で説明する親端末２の表示部２５に表示されるインストール完了画面９１０の一例を示す図。
【図１７】第１実施形態の管理システム１を使用した子端末５の機能制限を実施する一連の動作のフロー図。
【図１８】第１実施形態で説明する親端末２の表示部２５に表示される利用制限登録画面９１１の一例を示す図。
【図１９】第１実施形態で説明する親端末２の表示部２５に表示される機能制限切り替え画面９１２の一例を示す図。
【図２０】第２実施形態の管理サーバ３の内部構成図。
【図２１】第２実施形態の管理システム１を使用した子端末５の機能制限を実施する一連の動作のフロー図。
【図２２】第２実施形態で説明する親端末２の表示部２５に表示される利用制限登録画面９２１の一例を示す図。
【図２３】第２実施形態で説明する親端末２の表示部２５に表示される機能制限切り替え画面９２２の一例を示す図。
【図２４】第２実施形態で説明する親端末２の表示部２５に表示される曜日設定画面９２３の一例を示す図。
【図２５】図２３の機能制限切り替え画面９２２中に選択された曜日と時間が表示される一例を示す図。
【図２６】第１実施形態の管理サーバ３の記憶部３２に保存される情報テーブルＤの説明図。
【発明を実施するための形態】
【００２７】
以下，本発明の第一実施形態について，説明する。
【００２８】
図１は，本実施形態の端末管理システム１の全体構成図であり，端末管理システム１は，親端末２，管理サーバ３，プッシュサーバ４及び，子端末５から構成されている。
【００２９】
また，端末管理システム１は，親端末２，管理サーバ３，プッシュサーバ４及び，子端末５の各々がインターネット７に接続しているため，該インターネット７を介して相互に通信可能となっている。
【００３０】
親端末２は，被保護者（子）が所持する子端末５の管理を希望する保護者（親）が所持する携帯端末である。
【００３１】
本実施形態の親端末２は，ｉＯＳ（登録商標）を搭載したスマートフォンであるが，本発明においては，ｉＯＳ等のモバイルＯＳを搭載したスマートフォン又は，タブレット端末等であれば好適に使用され，特に限定されない。
【００３２】
図２は親端末２の内部構成を示す図である。
【００３３】
本実施形態の親端末２は，制御部２１，記憶部２２，通信部２３，表示部２４，操作部２５，を少なくとも備え，各部はバス２６を介して接続されている。
【００３４】
制御部２１は，演算処理装置としてのＣＰＵを備え，該ＣＰＵが記憶部２２に記憶されている制御プログラムを読み出して実行することにより，親端末２の各部を制御する。
【００３５】
記憶部２２は，上述の制御プログラムの他に，後述する，管理サーバ３に子端末５の機能制限を要求するプログラムである機能制限アプリケーションＡを保存している。
【００３６】
通信部２３は，無線通信によってインターネット７と接続され，少なくとも，管理サーバ３及び子端末５と通信する通信手段としてのインタフェースである。
【００３７】
表示部２４は，制御部２１からの指示に応じて画像を表示する表示手段である。
【００３８】
操作部２５は，タッチパネルを有する操作手段であり，表示部２４に表示された画面に重なる領域において，タッチによる指示操作を検出する。
【００３９】
本実施形態の管理サーバ３は，後述するように，親端末２と子端末５のそれぞれのアカウント情報（端末使用者の氏名等）及びデバイス情報（端末識別情報）を管理し，前記機能制限アプリケーションＡを起動した親端末２からの要求に基づいて，子端末５を機能制限する（指定したアプリケーションの機能を利用不能にする）ための制限用ＸＭＬデータＣ又は，機能制限を解除する解除用ＸＭＬデータＣ’を生成し，前記制限用ＸＭＬデータＣ又は，解除用ＸＭＬデータＣ’のプッシュ通知要求をプッシュサーバ４に送信するためのサーバである。
【００４０】
図３は，本実施形態の管理サーバ３の内部構成を示す図である。
【００４１】
本実施形態の管理サーバ３は，少なくとも，制御部３１，記憶部３２及び通信部３３を有しており，各部がバス３４を介して接続されている。
【００４２】
制御部３１は，演算処理装置としてのＣＰＵを備え，記憶部３２に記憶されている制御プログラムを読み出して実行することにより，管理サーバ３の各部を制御する。
【００４３】
また，制御部３１は，その機能的構成として，設定ファイル生成部３１１，ＸＭＬデータ生成部３１２及び，抽出部３１３を少なくとも有する。ＸＭＬデータ生成部３１１，設定ファイル生成部３１２及び抽出部３１３の各部の機能については，後述する。
【００４４】
記憶部３２は，上述の制御プログラムを記憶する他に，親端末２及び子端末５に関する情報テーブルＤを記憶するデータベース（ＤＢ）３２１の記憶領域を有する。図２６は，前記情報テーブルＤのデータ構造の一例を示す説明図である。
【００４５】
図２６に示すように，前記データベース３２１領域内に記憶される情報テーブルＤには，少なくとも，親端末２のアカウント情報（例えば，所持者の氏名等）及びデバイス情報（端末識別情報）と，子端末５のアカウント情報，デバイス情報及び子端末５にインストールされているアプリケーションの情報とが関連付けられて登録されている。
【００４６】
通信部３３は，無線通信によってインターネット７と接続され，親端末２，プッシュサーバ４及び子端末５と通信する通信手段としてのインタフェースである。
【００４７】
プッシュサーバ４は，管理サーバ３からの通知要求（プッシュ）を受けて，子端末５に対してプッシュ通知するための通知手段である。プッシュサーバ４として，例えば，ＡＰＮＳ（Apple Push Notification Service）サーバを使用しても良い。
【００４８】
図４は，本実施形態のプッシュサーバ４の内部構成を示す図である。
【００４９】
本実施形態のプッシュサーバ４は，少なくとも制御部４１，記憶部４２及び，通信部４３を有し，各部がバス４４を介して接続されている。
【００５０】
制御部４１は，演算処理装置としてのＣＰＵを備え，記憶部４２に記憶された制御プログラムに基づいて，プッシュサーバ４の各部の動作を制御する制御手段である。
【００５１】
記憶部４２は，少なくとも，管理サーバ３からのプッシュ通知要求を受けて，指定されたデバイス情報に該当する子端末５に対してプッシュ通知する処理を実行するための制御プログラムを記憶する。
【００５２】
通信部４３は，無線通信によってインターネット７と接続され，少なくとも，管理サーバ３及び，子端末５と通信する通信手段としてのインタフェースである。
【００５３】
子端末５は，被保護者（子）が所持する携帯端末であり，本実施形態の端末管理システム１の管理対象となる。
【００５４】
本実施形態の子端末５は，ｉＯＳ（登録商標）を搭載したスマートフォンであるが，本発明においては，ｉＯＳ等のモバイルＯＳを搭載したスマートフォン又は，タブレット端末であれば，好適に使用される。
【００５５】
図５は子端末５の内部構成を示す図である。
【００５６】
子端末５は，制御部５１，記憶部５２，通信部５３，表示部５４，操作部５５を少なくとも備え，各部はバス５６を介して接続されている。
【００５７】
制御部５１は，演算処理装置としてのＣＰＵを備え，該ＣＰＵが記憶部５２に記憶されている制御プログラムを読み出して実行することにより，子端末５の各部を制御する。
【００５８】
記憶部５２は，上述の制御プログラムの他，管理サーバ３からダウンロードしてインストールした設定ファイルＢが記憶される。設定ファイルＢには，前記管理サーバ３が生成するＸＭＬデータ（ＸＭＬ形式の制御メッセージ）に従って動作処理を実現するＸＭＬ形式のテキストが，少なくとも記載されている。
【００５９】
通信部５３は，無線通信によってインターネット７と接続され，親端末２，管理サーバ３及び，プッシュサーバ４と通信する通信手段としてのインタフェースである。
【００６０】
表示部５４は，制御部５１からの指示に応じて画像を表示する表示手段である。
【００６１】
操作部５５，タッチパネルを有する操作手段であり，表示部５１に表示された画面に重なる領域において，タッチによる指示操作を検出する。
【００６２】
次に，図６のフロー図を参照して，本実施形態の親端末２及び子端末５を管理サーバ３に設定登録する登録動作について説明する。本実施形態の管理システム１は，親端末２及び子端末５を管理サーバ３が識別できるようにしておく必要がある。
【００６３】
親端末２の所持者（保護者）は，例えば，アップルストア（登録商標）等のアプリ配信サーバから前記機能制限アプリケーションＡ（図６中は，「機能制限アプリＡ」と略記する。）を親端末２にダウンロードして取得する（Ｓ１０１）。
【００６４】
親端末５は，取得（ダウンロード）した機能制限アプリケーションＡを自動的にインストールする（Ｓ１０２）。
【００６５】
インストール後，自動的に機能制限アプリケーションＡが起動する（Ｓ１０３）。
【００６６】
起動した機能制限アプリケーションＡは，アカウント作成画面９０１（図７）を親端末２の表示部２４に表示させる（Ｓ１０４）
【００６７】
前記アカウント作成画面９０１（図７）のアカウント作成ボタン９０１１（図中の丸枠内）をタップすると，機能制限アプリケーションＡはアカウント情報入力画面９０２（図８）を表示する。
【００６８】
保護者は，アカウント情報入力画面９０２中の入力欄に氏名等のアカウント情報を入力する。入力後，アカウント情報入力画面９０２中の登録ボタン９０２１（図８）をタップすると，機能制限アプリケーションＡにより前記アカウント情報が親端末２のデバイス情報（識別情報）と共に，自動的に管理サーバ３に通知される（Ｓ１０５）。
【００６９】
管理サーバ３は，通知された親端末２のアカウント情報とデバイス情報を，管理サーバ３の記憶部３２のデータベース（ＤＢ）３２１に保存する。データベース（ＤＢ）３２１に格納後，管理サーバ３は，自動的に親端末２に登録通知をする（Ｓ１０６）。
【００７０】
管理サーバ３から登録通知を受けた機能制限アプリケーションＡは，親端末２の表示部２４に子供（子端末５の所持者）の登録画面９０３（図９）を表示させる（Ｓ１０７）。
【００７１】
登録画面９０３（図９）中の登録ボタン９０３１（図中の丸枠内）をタップすると，親端末２の表示部２４に子供情報の入力画面９０４（図１０）が表示され，親端末２の所持者は，子供の情報（例えば，名前と生年月日）つまり子端末５のアカウント情報を入力欄に入力する。アカウント情報を入力後，子供情報の入力画面９０４（図１０）中の登録ボタン９０４１をタップすると機能制限アプリケーションＡにより，入力された前記子供の情報（子端末５のアカウント情報）が自動的に管理サーバ３に通知される（Ｓ１０８）。
【００７２】
管理サーバ３は，通知された子端末５のアカウント情報を，既にデータベース３２１に格納されている親端末２のアカウント情報及びデバイス情報と関連付けて記憶部３２のデータベース（ＤＢ）３２１に登録（保存）する（Ｓ１０９）。
【００７３】
管理サーバ３は，子端末５のアカウント情報を記憶部３２のデータベース３２１に保存した後，制御部３１の設定ファイル生成部３１１より設定ファイル（プロファイル）Ｂを作成する。設定ファイルＢを作成後，自動的に設定ファイルＤＬ（ダウンロード）用ＵＲＬを親端末２に送信する（Ｓ１１０）。
【００７４】
なお，本実施形態の設定ファイルＢは，前記管理サーバ３のＸＭＬデータ生成部３１２が生成する制御用ＸＭＬデータに従ってアプリケーションを機能制限（子端末５のホーム画面から機能制限の対象となったアプリケーションのアイコン表示を消す動作処理を含む）するためのＸＭＬ形式のテキスト，さらに，管理サーバ３のＸＭＬデータ生成部３１２が生成する解除用ＸＭＬデータＣ’に従ってアプリケーションの機能制限を解除（子端末５のホーム画面に，機能制限を解除するアプリケーションのアイコンを表示させる動作処理を含む）するためのＸＭＬ形式のテキストが，少なくとも記載されている。
【００７５】
親端末２の機能制限アプリケーションＡは，設定ファイルＤＬ（ダウンロード）用ＵＲＬを受信した後，親端末２の表示部２４に設定ファイルＤＬ用ＵＲＬ表示画面９０５を表示する（図１１）（Ｓ１１１）。
【００７６】
次に，親端末２の所持者は，設定ファイルＤＬ用ＵＲＬを子端末５に送信する（Ｓ１１２）。送信方法は，例えば，ＬＩＮＥ（登録商標）やＳＭＳ(Short Message Service)等を使用することができ，前記ＵＲＬを通知できるものであれば送信手段は特に限定されない。ＬＩＮＥを使用する場合は，図１１の画面中の「ＬＩＮＥで送る」ボタン９０５１をタップしてＬＩＮＥアプリを起動させて送信先に子端末５を選択し，ＤＬ用ＵＲＬを子端末５に送信する。また，ＳＭＳを使用する場合は，図１１の画面中「クリップボードにコピー」ボタン９０５２をタップすると，設定ファイルＤＬ用ＵＲＬが自動でコピーされるので，例えば，アップル社のｉｐｈｏｎｅ（登録商標）のプリインストールアプリである「メッセージ」を起動し，新規メッセージ画面を開いてメッセージ入力欄に設定ファイルＤＬ用ＵＲＬをペーストし，子端末５に送信する。
【００７７】
次に，子端末５の所持者は，受信した設定ファイルＤＬ用ＵＲＬにアクセスする（Ｓ１１３）。例えばＬＩＮＥで通知されたＵＲＬをタップしてアクセスすると，ＵＲＬのアクセスにより，管理サーバ３に端末登録要求がなされる。
【００７８】
端末登録要求を受けた管理サーバ３は，認証要求として子端末５の表示部５４にインストール画面９０６（図１２）を表示させる（Ｓ１１４）。例えば，ＬＩＮＥ（登録商標）で表示されたＵＲＬをタップしてアクセスし，ＷｅｂブラウザのＳａｆａｒｉ（登録商標）で開くと，図１２に示すインストール画面９０６（Ｗｅｂページ）が表示される。
【００７９】
前記インストール画面９０６（図１２）中の丸枠内のインストールボタン９０６１をタップすると，パスコード入力画面９０７が表示される（図１３）ので，子端末５の所持者は，入力欄にパスコードを入力する（Ｓ１１５）。
【００８０】
パスコードが入力されると，子端末５の表示部５４に警告画面９０８（図１４）が表示される（Ｓ１１６）。
【００８１】
警告画面９０８（図１４）中のインストールボタン９０８１をタップするとポップアップ９０９が表示され（図１５），ポップアップ９０９中の信頼ボタン９０９１をタップして承諾すると，管理サーバ３に設定ファイルＢのダウンロードを要求する（Ｓ１１７）。
【００８２】
要求を受けた管理サーバ３は，設定ファイルＢのダウンロードを許可する（Ｓ１１８）。
【００８３】
子端末５は，ダウンロード要求に対する返答として取得（ダウンロード）した設定ファイルＢを自動的にインストールする（Ｓ１１９）。
【００８４】
設定ファイルＢのインストールが完了すると，子端末５に，インストール完了画面９１０（図１６）が表示される（Ｓ１２０）。
【００８５】
インストール完了画面９１０のインストール完了ボタン９１０１をタップすると，管理サーバ３と子端末５の紐づけ（連携）が完了し，管理サーバ３は，子端末５との紐づけにより取得した子端末５のデバイス情報及び，子端末５にインストールされているアプリケーション情報を，既に登録された親端末２のアカウント情報及びデバイス情報並びに子端末５のアカウント情報を有する情報テーブルＤに関連付けて記憶部３２のデータベース３２１に保存する（Ｓ１２１）。
【００８６】
なお，前記設定ファイルＢは，子端末５にインストールされているアプリケーションの最新の情報を，管理サーバ３と連携して，記憶部３２のデータベース３２１内の子端末５に対応する情報テーブルＤに関連付けて保存する動作処理を実行するためのＸＭＬ形式のテキストが記載されても良い。これにより，子端末５にインストールされたアプリケーションの情報が更新される。
【００８７】
次に，本実施形態の端末管理システム１を使用して子端末５にインストールされたアプリケーションの機能制限を実施する（アプリケーションを起動できなくする）までの一連の動作を，図１７のフロー図に沿って，説明する。
親端末２の所持者である保護者は，機能制限アプリケーションＡを起動する（Ｓ２０１）。
【００８８】
機能制限アプリケーションＡを起動すると，自動的に管理サーバ３に機能制限開始の信号が送信され，前記信号を受信した管理サーバ３と協働して，制御部３１の抽出部３１３により前記信号に含まれる発信元のアカウント情報又はデバイス情報から親端末２を識別して記憶部３２の前記データベース３２１から親端末２に対応する情報テーブルＤを抽出し，該情報テーブルＤから子端末５のアカウント情報（名前等），デバイス情報及び子端末５にインストールされているアプリケーション情報を読み出す（Ｓ２０２）。
【００８９】
そしてアプリケーション情報を読み出し後，管理サーバ３と協働して，図１８に示すように，例えば，子の名前（図１８中では，「テスト」と表示されている。）と，子端末５にインストールされているアプリケーションの一覧が表示された利用制限登録画面９１１を親端末２の表示部２４に表示させる（Ｓ２０３）。なお，以下では，機能制限（機能の利用不能）を希望するアプリケーションとして「Ｓａｆａｒｉ（登録商標）」を選択する場合について説明する。
【００９０】
利用制限登録画面９１１に表示されたアプリケーションの一覧から，「Ｓａｆａｒｉ」を選択しタップすると，図１９のように機能制限切り替え画面９１２が表示され，強制的に機能制限の実行を希望する場合は，機能制限するか否かを切り替える切り替えスイッチ９１２１を左（ＯＦＦ）にスライドさせる。そして，図１９中の「戻る」ボタン９１２２をタップすると，再び機能（利用）制限登録画面９１１（図１８）が表示されるので，利用制限登録画面９１１中の右上の「保存」ボタン９１１１をタップする（Ｓ２０４）。
【００９１】
前記「保存」ボタン９１１１がタップされることで親端末２から発信される信号（制限要求）を受信した管理サーバ３は，制御部３１のＸＭＬデータ生成部３１２により子端末５の「Ｓａｆａｒｉ」を機能制限するための制限用ＸＭＬデータＣを生成する（Ｓ２０５）。
【００９２】
そして，管理サーバ３は，生成した前記制限用ＸＭＬデータＣを，前記記憶部３２内の前記情報テーブルＤから読み出した子端末５のデバイス情報と共にプッシュサーバ４にプッシュ通知要求を送信する（Ｓ２０６）。
【００９３】
受信したプッシュサーバ４は，前記デバイス情報から該当する子端末５へ前記制限用ＸＭＬデータをプッシュ通知する（Ｓ２０７）。
【００９４】
プッシュ通知を受信した子端末５は，記憶部５２に保存された設定ファイルＢにより制御部５１が，受信した制限用ＸＭＬデータに従って「Ｓａｆａｒｉ」を機能制限し，子端末５のホーム画面から「Ｓａｆａｒｉ」のアイコン表示を消す（Ｓ２０８）。
【００９５】
子端末５は，管理サーバ３に機能制限を行った確認（制限内容）を通知する（Ｓ２０９）。
【００９６】
上述により強制的にアプリケーションが機能制限されるため，子端末５は，機能制限を解除しない限りアプリケーションの使用ができなくなる。
【００９７】
次に，機能制限した「Ｓａｆａｒｉ」の機能制限を解除するための一連動作を説明すると，まず，機能制限切り替え画面９１２（図１９）の切り替えスイッチ９１２１を右（ＯＮ）にスライドさせ（図無し），そして，図１９中の「戻る」ボタン９１２２をタップし，図１８の利用制限登録画面９１１が表示されるので，利用制限登録画面９１１中の右上の「保存」ボタン９１１１をタップする。
【００９８】
前記「保存」ボタン９１１１がタップされることで親端末２から発信される信号（解除要求）を受信した管理サーバ３は，制御部３１のＸＭＬデータ生成部３１２により子端末５の「Ｓａｆａｒｉ」の機能制限を解除するための解除用ＸＭＬデータＣ’を生成する。
【００９９】
そして，管理サーバ３は，生成した前記解除用ＸＭＬデータＣ’を子端末５のデバイス情報と共にプッシュサーバ４にプッシュ通知の要求を送信する。
【０１００】
受信したプッシュサーバ４は，前記デバイス情報から該当する子端末５へ前記ＸＭＬデータをプッシュ通知する。
【０１０１】
プッシュ通知を受信した子端末５は，記憶部５２に保存された設定ファイルＢにより制御部５１が，受信した解除用ＸＭＬデータＣ’に従って「Ｓａｆａｒｉ」の機能制限を解除し，子端末５のホーム画面に「Ｓａｆａｒｉ」のアイコンを表示させる。
【０１０２】
次に本発明の端末管理システム１の第２実施形態について説明する。なお，説明の便宜上，実施形態１における説明と同じ機能を有する構成・手段については，同じ符号を付し，その詳細な説明を省略する。
【０１０３】
第１実施形態の違いとしては，第２実施形態では管理サーバ３が内部構成にタイマ部３５を有している。
【０１０４】
図２０は，本実施形態の管理サーバ３の内部構成を示す図である。
【０１０５】
本実施形態の管理サーバ３の制御部３１は，前記タイマ部３５と協働して，少なくとも，現在時刻及び現在の曜日を認識することができる。
【０１０６】
これにより，予め親端末２の所持者（保護者）が選択した機能制限する時間，曜日を設定登録して保存し，登録した時間，曜日において選択したアプリケーションの機能制限を実行することができる。
【０１０７】
以下，本実施形態の端末管理システム１を使用した子端末５の機能制限を実施するまでの一連の動作を，図２１のフロー図に沿って，説明する。なお，本実施形態の親端末２及び子端末５を管理サーバ３に設定登録する登録動作については，実施形態１と同様である。
【０１０８】
まず，親端末２の所持者である保護者は，機能制限アプリケーションＡを起動する（Ｓ３０１）。
【０１０９】
機能制限アプリケーションＡを起動すると，自動的に管理サーバ３に機能制限開始の信号が送信され，前記信号を受信した管理サーバ３と協働して，制御部３１の抽出部３１３により，信号に含まれる発信元のデバイス情報から親端末２を識別し，記憶部３２の前記データベース３２１から親端末２に対応する情報テーブルＤを抽出し，該情報テーブルＤから子端末５のアカウント情報（所持者の名前），デバイス情報及び子端末５にインストールされているアプリケーション情報を読み出す（Ｓ３０２）。
【０１１０】
そしてアプリケーション情報を読み出し後，管理サーバ３と協働して，図２２に示すように，子の名前（図２２中では，「テスト」と表示されている。）と，子端末５にインストールされているアプリケーションの一覧が表示された機能（利用）制限登録画面９２１を親端末２の表示部２４に表示させる（Ｓ３０３）。なお，以下では，子端末５にダウンロードされているアプリケーション全てを一括選択する場合について説明する。
【０１１１】
利用制限登録画面９２１に表示されたアプリケーションの一覧から，「ダウンロードしたアプリケーション」を選択しタップする（Ｓ３０４）。
【０１１２】
タップすると，図２３が示すように，機能制限切り替え画面９２２が表示され，強制的に機能制限するか否かを切り替える切り替えスイッチ９２２１を，本実施形態では右にスライドさせてＯＮにすると，画面中に「＋登録」ボタン９２２２が表示されるので，該「＋登録」ボタン９２２２をタップする。
【０１１３】
前記「＋登録」ボタン９２２２をタップすると，曜日設定画面９２３が表示され（図２４），機能制限を実行したい曜日を選択した後，曜日ごとに機能制限を実行したい時間を選択する（図無し）。そして，選択が終わると，前記機能制限切り替え画面９２２中に選択内容が表示（図２５）される（Ｓ３０５）。
【０１１４】
次に，前記機能制限切り替え画面９２２中の「戻る」ボタン９２２３をタップして再び利用制限登録画面９２１（図２２）を表示させて，利用制限登録画面９２１中の右上の「保存」ボタン９２１１をタップする（Ｓ３０６）。
【０１１５】
前記保存ボタン９２１１がタップされることで発信される信号（制限要求）を受信した管理サーバ３は，前記信号（制限要求）に含まれる機能制限する曜日及び時間の情報（予約データ）を記憶部３２のデータベース３２１内の情報テーブルＤ（図示せず）に関連付けて登録（格納）する（Ｓ３０７）。
【０１１６】
そして，管理サーバ３の制御部３１は，記憶部３２とタイマ部３５と協働して，保存された前記機能制限する曜日及び時間の情報（予約データ）に基づいて保護者が選択した曜日及び時間であると確認すると，ＸＭＬデータ生成部３１２により子端末５のダウンロードされたアプリケーション全てを機能制限するための制限用ＸＭＬデータＣを生成し該制限用ＸＭＬデータＣを，前記情報テーブルＤから読み出した子端末５のデバイス情報と共にプッシュサーバ４に送信する（Ｓ３０８）。なお，予約した時間内においては，ＸＭＬデータ生成部３１２により機能制限するための制限用ＸＭＬデータＣを毎分生成し，上述のプッシュサーバ４に対するプッシュ通知要求を毎分送信する。
【０１１７】
プッシュ通知要求を受信したプッシュサーバ４は，デバイス情報から該当する子端末５へ前記制限用ＸＭＬデータＣをプッシュ送信する（Ｓ３０９）。
【０１１８】
プッシュ送信を受信した子端末５は，記憶部５２に保存された設定ファイルＢにより制御部５１が，受信した制御用ＸＭＬ形式の制御メッセージに従って全てのアプリケーションを機能制限し，子端末５のホーム画面に表示されている全てのアプリケーションのアイコン表示を消す（Ｓ３１０）。
【０１１９】
子端末５は，管理サーバ３に機能制限を行った確認内容を通知する（Ｓ３１１）。
【０１２０】
なお，前記管理サーバ３は，記憶部３２とタイマ部３５と協働して，保存された前記機能制限する曜日及び時間の情報（予約データ）に基づいて前記機能制限する曜日，時間外であると確認すると，ＸＭＬデータ生成部３１２が前記選択されたアプリケーションの機能制限を解除するための解除用ＸＭＬデータＣ’を生成し，該解除用ＸＭＬデータＣ’の前記プッシュ通知要求を，前記記憶部３２内の前記情報テーブルＤから読み出した前記子端末５のデバイス情報と共に前記プッシュサーバ４に送信し，前記プッシュサーバ４からのプッシュ通知を受信した子端末５は，記憶部５２に保存された設定ファイルＢにより制御部５１が，受信した解除用ＸＭＬデータＣ’に従って，全てのアプリケーションの機能制限を解除し，ホーム画面にアイコンが表示されるアプリケーションについては全て子端末５のホーム画面にアイコンを表示させる。
【符号の説明】
【０１２１】
１  端末管理システム
２  親端末  
２１  制御部
２２  記憶部
２３  通信部
２４  表示部
２５  操作部
２６  バス
３  管理サーバ
３１  制御部
３１１  設定ファイル生成部
３１２  ＸＭＬデータ生成部
３１３  抽出部
３２  記憶部
３２１  データベース（ＤＢ）
３３  通信部
３４  バス
３５  タイマ部
４  プッシュサーバ
４１  制御部
４２  記憶部
４３  通信部
４４  バス
５  子端末
５１  制御部
５２  記憶部
５３  通信部
５４  表示部
５５  操作部
５６  バス
７  インターネット
９０１  アカウント作成画面
９０１１  アカウント作成ボタン
９０２  アカウント情報入力画面
９０２１  登録ボタン
９０３  登録画面
９０３１  登録ボタン
９０４  子供情報の入力画面
９０４１  登録ボタン
９０５  設定ファイルＤＬ用ＵＲＬ表示画面
９０５１  「ＬＩＮＥで送る」ボタン
９０５２  「クリップボードにコピー」ボタン
９０６  インストール画面
９０６１  インストールボタン
９０７  パスコード入力画面
９０８  警告画面
９０８１  インストールボタン
９０９  ポップアップ
９０９１  信頼ボタン
９１０  インストール完了画面
９１０１  インストール完了ボタン
９１１  利用制限登録画面
９１２  機能制限切り替え画面
９１２１  切り替えスイッチ
９１２２  「戻る」ボタン
９２１  利用制限登録画面
９２１１  「保存」ボタン
９２２  機能制限切り替え画面
９２２１  切り替えスイッチ
９２２２  「＋登録」ボタン
９２２３  「戻る」ボタン
９２３  曜日設定画面
Ａ  機能制限アプリケーション
Ｂ  設定ファイル
Ｃ  制限用ＸＭＬデータ
Ｃ’解除用ＸＭＬデータ
Ｄ  情報テーブル
【図１】
2019216395.tif 000003
【図２】
2019216395.tif 000004
【図３】
2019216395.tif 000005
【図４】
2019216395.tif 000006
【図５】
2019216395.tif 000007
【図６】
2019216395.tif 000008
【図７】
2019216395.tif 000009
【図８】
2019216395.tif 000010
【図９】
2019216395.tif 000011
【図１０】
2019216395.tif 000012
【図１１】
2019216395.tif 000013
【図１２】
2019216395.tif 000014
【図１３】
2019216395.tif 000015
【図１４】
2019216395.tif 000016
【図１５】
2019216395.tif 000017
【図１６】
2019216395.tif 000018
【図１７】
2019216395.tif 000019
【図１８】
2019216395.tif 000020
【図１９】
2019216395.tif 000021
【図２０】
2019216395.tif 000022
【図２１】
2019216395.tif 000023
【図２２】
2019216395.tif 000024
【図２３】
2019216395.tif 000025
【図２４】
2019216395.tif 000026
【図２５】
2019216395.tif 000027
【図２６】
2019216395.tif 000028